【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
コンピュータベースシステムであって、前記システムは、プロセッサと、メモリと、メモリ内に記憶され、引用推奨を提供するためにプロセッサによって実行可能である機械読み取り可能なコードとを備え、前記システムは、
ａ．テキストセグメントに少なくとも部分的に基づいて第１の出力を生成するように適合されたテキスト分析モジュールであって、前記第１の出力は、前記テキストセグメント内に含まれる用語に関連する引用を識別するためのデータ表現である、テキスト分析モジュールと、
ｂ．入力として前記第１の出力を受信し、前記第１の出力に少なくとも部分的に基づいて第２の出力を生成するように適合された個人プロファイルモジュールであって、前記第２の出力は、個人プロファイルに関連する引用を識別するためのデータ表現であり、前記個人プロファイルモジュールは、ユーザ相互作用を監視しかつ使用関連データを記憶するようにさらに適合され、前記個人プロファイルモジュールは、使用関連データの第１の組を特定のユーザおよび前記特定のユーザと関連付けられた第１の個人プロファイル記録と関連付けるためのものである、個人プロファイルモジュールと、
ｃ．前記第１の出力および前記第２の出力に応答し、一式の引用推奨データを生成するように適合された推奨モジュールと
を備える、システム。
【請求項２】
前記推奨モジュールは、前記一式の引用推奨データを含む第３の出力を生成し、前記データは、少なくとも１つの引用を含み、前記第３の出力は、前記一式の引用推奨データを処理するため、および、前記少なくとも１つの引用の表現を表示のために提示するために、クライアントデバイスに通信されるように適合されている、請求項１に記載のシステム。
【請求項３】
前記クライアントデバイスからの信号を受信するための入力をさらに備え、前記信号は、前記一式の引用推奨データと関連付けられた選択を含む、請求項２に記載のシステム。
【請求項４】
前記クライアントデバイスからの信号を受信するための入力をさらに備え、前記信号は、前記第１の出力に到達したとき、前記テキスト分析モジュールによって処理されるテキストの選択を含む、請求項２に記載のシステム。
【請求項５】
前記テキスト分析モジュール、前記個人プロファイルモジュール、および前記推奨モジュールは、ローカルクライアントデバイスおよび中央サーバのうちの１つ以上に存在してそこで実行される機能的コンポーネントを含む、請求項２に記載のシステム。
【請求項６】
前記クライアントデバイスは、個人プロファイル記録と関連付けられたユーザアカウント下で動作可能であり、前記個人プロファイルモジュールは、前記個人プロファイル記録内に含まれるデータに少なくとも部分的に基づいて、前記ユーザアカウントを認識して前記第２の出力を生成する、請求項２に記載のシステム。
【請求項７】
前記テキスト分析モジュール、前記個人プロファイルモジュール、および前記推奨モジュールをワードプロセッサアプリケーションと統合するように適合されたワード処理統合モジュールをさらに備える、請求項１に記載のシステム。
【請求項８】
前記ワード処理統合モジュールは、ローカルクライアント処理デバイス上のインストールのためプラグインモジュールを備え、前記プラグインモジュールは、前記テキスト分析モジュール、前記個人プロファイルモジュール、および前記推奨モジュールを統合するように適合されている、請求項７に記載のシステム。
【請求項９】
前記プラグインモジュールの動作を開始することが可能なアクティブ化モジュールをさらに備える、請求項８に記載のシステム。
【請求項１０】
前記ローカルクライアント処理デバイスは、ユーザ選択要素を含むグラフィカルユーザインターフェースを提示するように適合され、前記一式の引用推奨データと関連付けられたユーザ選択を処理するように適合されている、請求項８に記載のシステム。
【請求項１１】
前記ワードプロセッサアプリケーションは、前記ローカルクライアント処理デバイス上で動作可能であり、前記ローカルクライアント処理デバイスは、前記受信されたユーザ選択を処理し、前記選択と関連付けられた引用を前記ワードプロセッサによって動作させられている文書中に自動的に含めるように適合されている、請求項１０に記載のシステム。
【請求項１２】
前記ローカルクライアント処理デバイスは、
ａ．検索引用推奨、
ｂ．検索パラメータ、
ｃ．検索データベースまたはリソース選択またはフィルタ、
ｄ．ユーザ活動、
ｅ．文書またはプロジェクト関連データ、
ｆ．共同研究者活動、
ｇ．助成金または資金調達関連データ、
ｈ．プロジェクトタイムラインまたは管理ワークフロー、
ｉ．データフィルタリング基準、
ｊ．検索履歴
のうちの１つ以上を含む少なくとも２つの別個のエリアを含む電子ユーザダッシュボードまたはウェブポータルページを含む、請求項８に記載のシステム。
【請求項１３】
前記ワード処理統合モジュールは、前記ワードプロセッサにおいて動作している文書中のテキストセグメントのユーザによる選択、ハイライト、または指示を処理するように適合され、前記テキスト分析モジュールは、前記ユーザ選択されたテキストセグメントを受信および処理するように適合され、前記第１の出力は、前記テキストセグメントに少なくとも部分的に基づいている、請求項７に記載のシステム。
【請求項１４】
前記テキスト分析モジュールは、入力を有し、前記入力は、ワードプロセッサ文書と関連付けられた一式のテキストを受信するように適合されている、請求項１に記載のシステム。
【請求項１５】
前記一式の引用推奨データは、ローカルクライアントデバイスへの提示のために出力され、前記テキスト分析モジュールは、選択される推奨される引用をワードプロセッサ文書中に挿入するために、少なくとも１つの推奨される引用のユーザ選択を前記一式の引用推奨データから受信するように適合された入力を有する、請求項１に記載のシステム。
【請求項１６】
一式の少なくとも１つの出典データベースとインターフェース接続するように適合された出典データベースモジュールをさらに備える、請求項１に記載のシステム。
【請求項１７】
前記一式の少なくとも１つの出典データベースは、
ａ．一式のフルテキストファイル、
ｂ．一式のメタデータ記録、
ｃ．データベース要素を接続する一式のリンク、および
ｄ．外部ソースデータベースへの一式のリンク
のうちの１つ以上を含む、請求項１６に記載のシステム。
【請求項１８】
前記一式の少なくとも１つの出典データベースは、Ｗｅｂ  ｏｆ  Ｓｃｉｅｎｃｅ、Ｗｅｂ  ｏｆ  Ｋｎｏｗｌｅｄｇｅ、Ｎａｔｉｏｎａｌ  Ｌｉｂｒａｒｙ  ｏｆ  Ｍｅｄｉｃｉｎｅ  ＰｕｂＭｅｄ、ＣｒｏｓｓＲｅｆ、ＢＩＯＳＩＳ、Ｄｉａｌｏｇ、ｌｉｂｒａｒｙ  ＯＰＡＣＳ、Ｍｅｄｌｉｎｅ、ＰｒｏＱｕｅｓｔ、Ｏｖｉｄ、Ｅｂｓｃｏ、ＷｉｌｓｏｎＷｅｂ、および、ジャーナル構成外部データベースといったデータベースのうちの少なくとも１つを含む、請求項１６に記載のシステム。
【請求項１９】
ユーザインターフェースを提示し、テキスト分析に基づいて検索するための１つ以上の出典データベースのユーザ選択を表す入力を受信するようにさらに適合されている、請求項１６に記載のシステム。
【請求項２０】
前記推奨モジュールは、
ａ．１つ以上の推奨される参考文献または参考引用のリスト、
ｂ．１つ以上の推奨される検索結果または保存されたクエリのリスト、および
ｃ．前記ユーザから入力を要求するシステム応答
のうちの少なくとも１つを生成するようにさらに適合されている、請求項１に記載のシステム。
【請求項２１】
前記個人プロファイルモジュールは、個人プロファイル記録を第１のユーザと関連付け、前記個人プロファイルモジュールは、入力を有し、前記入力は、
ａ．一式の第１のユーザ出版物、
ｂ．一式の第１のユーザ検索用語、
ｃ．一式の助成金または類似資金調達ソース、
ｄ．一式の第１のユーザ検索結果または保存されたクエリ、
ｅ．前記第１のユーザと関連付けられた個人参考文献ライブラリ内に記憶された一式の項目、
ｆ．前記第１のユーザと関連付けられたユーザ−システム相互作用の一式の記憶された履歴、
ｇ．前記第１のユーザの一式の個人または専門文献目録データ要素、および
ｈ．前記第１のユーザと関連付けられた、または前記第１のユーザに関係する他のシステムユーザの一式の個人または専門文献目録データ要素
のうちの少なくとも１つと関連付けられている、請求項１に記載のシステム。
【請求項２２】
前記第２の出力は、
ａ．ユーザの個人参考文献ライブラリからの１つ以上の推奨される参考文献または引用のリスト、
ｂ．少なくとも１つの出典データベースからの１つ以上の推奨される参考文献または引用のリスト、および
ｃ．他のシステムユーザの個人参考文献ライブラリからの１つ以上の推奨される参考文献または引用のリスト
のうちの１つ以上である、請求項１に記載のシステム。
【請求項２３】
前記引用推奨を宛先アプリケーションに通信するように適合された通信モジュールをさらに備える、請求項１に記載のシステム。
【請求項２４】
参考文献、引用、または引用を含む文書を通信するように適合された電子メールモジュールをさらに備える、請求項１に記載のシステム。
【請求項２５】
少なくとも１つの参考文献ツールと統合し、前記少なくとも１つの参考文献ツールから少なくとも１つの引用に関する引用データを受信するように適合されたツール統合モジュールをさらに備え、前記一式の引用推奨は、前記受信された引用データからの少なくともいくつかのデータを含む、請求項１に記載のシステム。
【請求項２６】
クラスタ化モジュールをさらに備える、請求項１に記載のシステム。
【請求項２７】
曖昧性解消モジュールをさらに備える、請求項１に記載のシステム。
【請求項２８】
前記テキスト分析モジュールは、テキストセグメントを受信し、前記受信されたテキストセグメントを検索コレクションに対して処理する、請求項１に記載のシステム。
【請求項２９】
ユーザに、ユーザアカウントと関連付けられた個人プロファイルに関する情報を提示するように適合されたユーザダッシュボードインターフェースをさらに備える、請求項１に記載のシステム。
【請求項３０】
前記一式の引用推奨データのユーザ評価に関連するユーザ入力から導出される信号を受信するように適合されたユーザフィードバックモジュールをさらに備え、前記ユーザ入力は、文書中に含めるために一式の引用から引用を選択することとは別のものである、請求項１に記載のシステム。
【請求項３１】
引用推奨を提供するための、コンピュータによって実施される方法であって、前記方法は、
ａ．テキストセグメントを受信および分析し、前記テキストセグメントに少なくとも部分的に基づいて、第１の出力を生成することであって、前記第１の出力は、前記テキストセグメント内に含まれる用語に関連する引用を識別するためのデータ表現である、ことと、
ｂ．個人プロファイルと関連付けられたデータを分析することであって、前記データは、ユーザ相互作用を監視し、使用関連データを記憶し、使用関連データの第１の組を特定のユーザおよび前記特定のユーザと関連付けられた第１の個人プロファイル記録と関連付けることによって収集された情報を含む、ことと、入力として前記第１の出力を受信することと、前記第１の出力に部分的に基づいて第２の出力を生成することであって、前記第２の出力は、前記個人プロファイルに関連する引用を識別するためのデータ表現である、ことと、
ｃ．前記第１の出力および前記第２の出力を受信および分析し、前記第１および第２の出力に少なくとも部分的に基づいて、一式の引用推奨データを生成することと
を含む、方法。
【請求項３２】
少なくとも１つの引用を含む前記一式の引用推奨データを含む第３の出力を生成することと、前記一式の引用推奨データを処理し、前記少なくとも１つの引用の表現を表示のために提示するために、前記第３の出力をクライアントデバイスに通信することとをさらに含む、請求項３１に記載の方法。
【請求項３３】
前記クライアントデバイスから信号を受信することであって、前記信号は、前記一式の引用推奨データと関連付けられた選択を含む、ことをさらに含む、請求項３２に記載の方法。
【請求項３４】
前記クライアントデバイスから信号を受信することであって、前記信号は、前記第１の出力に到達したとき、テキスト分析モジュールによって処理されるテキストの選択を含む、ことをさらに含む、請求項３２に記載の方法。
【請求項３５】
前記クライアントデバイスは、個人プロファイル記録と関連付けられたユーザアカウント下で動作しており、前記方法は、前記ユーザアカウントを認識し、前記個人プロファイル記録内に含まれるデータに少なくとも部分的に基づいて、前記第２の出力を生成することをさらに含む、請求項３２に記載の方法。
【請求項３６】
前記テキスト分析モジュール、前記個人プロファイルモジュール、および前記推奨モジュールをワードプロセッサアプリケーションと統合するように適合されたワード処理統合モジュールをさらに含む、請求項３１に記載の方法。
【請求項３７】
ユーザ選択要素を含み、前記一式の引用推奨データと関連付けられたユーザ選択を処理するように適合されたグラフィカルユーザインターフェースを生成することをさらに含む、請求項３２に記載の方法。
【請求項３８】
受信されたユーザ選択を処理し、前記選択と関連付けられた引用をワードプロセッサによって動作させられる文書中に自動的に挿入することをさらに含む、請求項３７に記載の方法。
【請求項３９】
ローカルクライアント処理デバイスにおいて提示するために、
ａ．検索引用推奨、
ｂ．検索パラメータ、
ｃ．検索データベースまたはリソース選択またはフィルタ、
ｄ．ユーザ活動、
ｅ．文書またはプロジェクト関連データ、
ｆ．共同研究者活動、
ｇ．助成金または資金調達関連データ、
ｈ．プロジェクトタイムラインまたは管理ワークフロー、
ｉ．データフィルタリング基準、および
ｊ．検索履歴
のうちの１つ以上を含む少なくとも２つの別個のエリアを含む電子ユーザダッシュボードまたはウェブポータルページを生成することをさらに含む、請求項３１に記載の方法。
【請求項４０】
ワードプロセッサにおいて動作している文書中のテキストセグメントのユーザによる選択、ハイライト、または指示と関連付けられた信号を処理することをさらに含み、前記第１の出力は、前記テキストセグメントに少なくとも部分的に基づいている、請求項３１に記載の方法。
【請求項４１】
ワードプロセッサ文書と関連付けられた一式のテキストを受信することをさらに含む、請求項３１に記載の方法。
【請求項４２】
ローカルクライアントデバイスにおいて提示するために、前記一式の引用推奨データを出力することと、選択される推奨される引用をワードプロセッサ文書中に挿入するために、少なくとも１つの推奨される引用のユーザ選択を前記一式の引用推奨データから受信することとをさらに含む、請求項３１に記載の方法。
【請求項４３】
一式の少なくとも１つの出典データベースとインターフェース接続することにより、前記一式の引用推奨データを確認することをさらに含む、請求項３１に記載の方法。
【請求項４４】
前記一式の少なくとも１つの出典データベースは、
ａ．一式のフルテキストファイル、
ｂ．一式のメタデータ記録、
ｃ．データベース要素を接続する一式のリンク、および
ｄ．外部ソースデータベースへの一式のリンク
のうちの１つ以上を含む、請求項４３に記載の方法。
【請求項４５】
前記一式の少なくとも１つの出典データベースは、Ｗｅｂ  ｏｆ  Ｓｃｉｅｎｃｅ、Ｗｅｂ  ｏｆ  Ｋｎｏｗｌｅｄｇｅ、Ｎａｔｉｏｎａｌ  Ｌｉｂｒａｒｙ  ｏｆ  Ｍｅｄｉｃｉｎｅ  ＰｕｂＭｅｄ、ＣｒｏｓｓＲｅｆ、ＢＩＯＳＩＳ、Ｄｉａｌｏｇ、ｌｉｂｒａｒｙ  ＯＰＡＣＳ、Ｍｅｄｌｉｎｅ、ＰｒｏＱｕｅｓｔ、Ｏｖｉｄ、Ｅｂｓｃｏ、ＷｉｌｓｏｎＷｅｂ、およびジャーナル構成外部データベースといったデータベースのうちの少なくとも１つを含む、請求項４３に記載の方法。
【請求項４６】
ローカルクライアントデバイスにおいて提示するためのユーザインターフェースを生成し、１つ以上の出典データベースのユーザ選択を表す入力を受信することをさらに含む、請求項４３に記載の方法。
【請求項４７】
前記一式の引用推奨データは、
ａ．１つ以上の推奨される参考文献または参考引用のリスト、
ｂ．１つ以上の推奨される検索結果または保存されたクエリのリスト、および
ｃ．前記ユーザから入力を要求するシステム応答
のうちの少なくとも１つを含む、請求項３１に記載の方法。
【請求項４８】
個人プロファイル記録と第１のユーザを関連付けることであって、前記個人プロファイルは、
ａ．一式の第１のユーザ出版物、
ｂ．一式の第１のユーザ検索用語、
ｃ．一式の助成金または類似資金調達ソース、
ｄ．一式の第１のユーザ検索結果または保存されたクエリ、
ｅ．前記第１のユーザと関連付けられた個人参考文献ライブラリ内に記憶された一式の項目、
ｆ．前記第１のユーザと関連付けられたユーザ−システム相互作用の一式の記憶された履歴、
ｇ．前記第１のユーザの一式の個人または専門文献目録データ要素、および
ｈ．前記第１のユーザと関連付けられた、または前記第１のユーザに関係する他のシステムユーザの一式の個人または専門文献目録データ要素
のうちの少なくとも１つを含む、ことをさらに含む、請求項３１に記載の方法。
【請求項４９】
前記第２の出力は、
ａユーザの個人参考文献ライブラリからの１つ以上の推奨される参考文献または引用のリスト、
ｂ．少なくとも１つの出典データベースからの１つ以上の推奨される参考文献または引用のリスト、および
ｃ．他のシステムユーザの個人参考文献ライブラリからの１つ以上の推奨される参考文献または引用のリスト
のうちの１つ以上である、請求項３１に記載の方法。
【請求項５０】
前記一式の引用推奨データを宛先アプリケーションに通信することをさらに含む、請求項３１に記載の方法。
【請求項５１】
受信されたテキストセグメントからのデータを処理し、前記テキストセグメント内に含まれる用語の曖昧性を解消することをさらに含む、請求項３１に記載の方法。
【請求項５２】
前記文書中のテキスト内引用と引用の文献目録中の対応する引用との間のハイパーリンクを提供することをさらに含む、請求項３１に記載の方法。
【請求項５３】
テキストセグメントを自動的に処理することにより、前記第１の出力を生成することであって、前記テキストセグメントは、ワードプロセッサ文書中に置かれたマーカーに基づいて決定される、ことをさらに含む、請求項３１に記載の方法。
【請求項５４】
前記テキストセグメントは、前記マーカーの前に現れるテキストおよび前記マーカーの後に現れるテキストを含む、請求項５３に記載の方法。
【手続補正２】
【補正対象書類名】明細書
【補正対象項目名】００２１
【補正方法】変更
【補正の内容】
【００２１】
本発明は、機能的特徴、すなわち、テキスト分析モジュール、個人プロファイルモジュール、推奨モジュールを提供し、さらに、ワードプロセッサ統合モジュール、通信モジュール、ソースアプリケーション切替、Ｍｉｃｒｏｓｏｆｔ  Ｗｏｒｄ引用インポート、文献目録のセクション化、引用の複合化、引用から文献目録へのリンク化、ソース参考文献管理アプリケーション内における組織グループの生成、および参考文献モジュールの管理を含んでもよい。
本発明は、例えば、以下を提供する。
（項目１）
コンピュータベースシステムであって、前記システムは、プロセッサと、メモリと、メモリ内に記憶され、引用推奨を提供するためにプロセッサによって実行可能である機械読み取り可能なコードとを備え、前記システムは、
ａ．第１の出力を生成するように適合されたテキスト分析モジュールと、
ｂ．第２の出力を生成するように適合された個人プロファイルモジュールと、
ｃ．前記第１の出力および前記第２の出力に応答し、一式の引用推奨データを生成するように適合された推奨モジュールと
を備える、システム。
（項目２）
前記推奨モジュールは、前記一式の引用推奨データを含む第３の出力を生成し、前記データは、少なくとも１つの引用を含む、前記第３の出力は、前記一式の引用推奨データを処理するため、および、前記少なくとも１つの引用の表現を表示のために提示するために、クライアントデバイスに通信されるように適合されている、項目１に記載のシステム。
（項目３）
前記クライアントデバイスからの信号を受信するための入力をさらに備え、前記信号は、前記一式の引用推奨データと関連付けられた選択を含む、項目２に記載のシステム。
（項目４）
前記クライアントデバイスからの信号を受信するための入力をさらに備え、前記信号は、前記第１の出力に到達したとき、前記テキスト分析モジュールによって処理されるテキストの選択を含む、項目２に記載のシステム。
（項目５）
前記テキスト分析モジュール、前記個人プロファイルモジュール、および前記推奨モジュールは、ローカルクライアントデバイスおよび中央サーバのうちの１つ以上に存在してそこで実行される機能的コンポーネントを含む、項目２に記載のシステム。
（項目６）
前記個人プロファイルモジュールは、ユーザ相互作用を監視しかつ使用関連データを記憶するように適合され、前記個人プロファイルモジュールは、使用関連データを特定のユーザと関連付ける、項目２に記載のシステム。
（項目７）
前記クライアントデバイスは、個人プロファイル記録と関連付けられたユーザアカウント下で動作可能であり、前記個人プロファイルモジュールは、前記個人プロファイル記録内に少なくとも部分的に含まれるデータに基づいて、前記ユーザアカウントを認識して前記第２の出力を生成する、項目２に記載のシステム。
（項目８）
前記テキスト分析モジュール、前記個人プロファイルモジュール、および前記推奨モジュールをワードプロセッサアプリケーションと統合するように適合されたワード処理統合モジュールをさらに備える、項目１に記載のシステム。
（項目９）
前記ワード処理統合モジュールは、ローカルクライアント処理デバイス上のインストールのためプラグインモジュールを備え、前記プラグインモジュールは、前記テキスト分析モジュール、前記個人プロファイルモジュール、および前記推奨モジュールを統合するように適合されている、項目８に記載のシステム。
（項目１０）
前記プラグインモジュールの動作を開始することが可能なアクティブ化モジュールをさらに備える、項目９に記載のシステム。
（項目１１）
前記ローカルクライアント処理デバイスは、ユーザ選択要素を含むグラフィカルユーザインターフェースを提示するように適合され、前記一式の引用推奨データと関連付けられたユーザ選択を処理するように適合されている、項目９に記載のシステム。
（項目１２）
前記ワードプロセッサアプリケーションは、前記ローカルクライアント処理デバイス上で動作可能であり、前記ローカルクライアント処理デバイスは、前記受信されたユーザ選択を処理し、前記選択と関連付けられた引用を前記ワードプロセッサによって動作させられている文書中に自動的に含めるように適合されている、項目１１に記載のシステム。
（項目１３）
前記ローカルクライアント処理デバイスは、
ａ．検索引用推奨、
ｂ．検索パラメータ、
ｃ．検索データベースまたはリソース選択またはフィルタ、
ｄ．ユーザ活動、
ｅ．文書またはプロジェクト関連データ、
ｆ．共同研究者活動、
ｇ．助成金または資金調達関連データ、
ｈ．プロジェクトタイムラインまたは管理ワークフロー、
ｉ．データフィルタリング基準、および
ｊ．検索履歴
のうちの１つ以上を含む少なくとも２つの別個のエリアを含む電子ユーザダッシュボードまたはウェブポータルページを含む、項目９に記載のシステム。
（項目１４）
前記ワード処理統合モジュールは、前記ワードプロセッサにおいて動作している文書中のテキストセグメントのユーザによる選択、ハイライト、または指示を処理するように適合され、前記テキスト分析モジュールは、前記ユーザ選択されたテキストセグメントを受信および処理するように適合され、前記第１の出力は、前記テキストセグメントに少なくとも部分的に基づいている、項目８に記載のシステム。
（項目１５）
前記テキスト分析モジュールは、入力を有し、前記入力は、ワードプロセッサ文書と関連付けられた一式のテキストを受信するように適合されている、項目１に記載のシステム。
（項目１６）
前記一式の引用推奨データは、ローカルクライアントデバイスへの提示のために出力され、前記テキスト分析モジュールは、選択される推奨される引用をワードプロセッサ文書中に挿入するために、少なくとも１つの推奨される引用のユーザ選択を前記一式の引用推奨データから受信するように適合された入力を有する、項目１に記載のシステム。
（項目１７）
一式の少なくとも１つの出典データベースとインターフェース接続するように適合された出典データベースモジュールをさらに備える、項目１に記載のシステム。
（項目１８）
前記一式の少なくとも１つの出典データベースは、
ａ．一式のフルテキストファイル、
ｂ．一式のメタデータ記録、
ｃ．データベース要素を接続する一式のリンク、および
ｄ．外部ソースデータベースへの一式のリンク
のうちの１つ以上を含む、項目１７に記載のシステム。
（項目１９）
前記一式の少なくとも１つの出典データベースは、Ｗｅｂ  ｏｆ  Ｓｃｉｅｎｃｅ、Ｗｅｂ  ｏｆ  Ｋｎｏｗｌｅｄｇｅ、Ｎａｔｉｏｎａｌ  Ｌｉｂｒａｒｙ  ｏｆ  Ｍｅｄｉｃｉｎｅ  ＰｕｂＭｅｄ、ＣｒｏｓｓＲｅｆ、ＢＩＯＳＩＳ、Ｄｉａｌｏｇ、ｌｉｂｒａｒｙ  ＯＰＡＣＳ、Ｍｅｄｌｉｎｅ、ＰｒｏＱｕｅｓｔ、Ｏｖｉｄ、Ｅｂｓｃｏ、ＷｉｌｓｏｎＷｅｂ、および、ジャーナル構成外部データベースといったデータベースのうちの少なくとも１つを含む、項目１７に記載のシステム。
（項目２０）
ユーザインターフェースを提示し、テキスト分析に基づいて検索するための１つ以上の出典データベースのユーザ選択を表す入力を受信するようにさらに適合されている、項目１７に記載のシステム。
（項目２１）
前記推奨モジュールは、
ａ．１つ以上の推奨される参考文献または参考引用のリスト、
ｂ．１つ以上の推奨される検索結果または保存されたクエリのリスト、および
ｃ．前記ユーザから入力を要求するシステム応答
のうちの少なくとも１つを生成するようにさらに適合されている、項目１に記載のシステム。
（項目２２）
前記個人プロファイルモジュールは、個人プロファイル記録を第１のユーザと関連付け、前記個人プロファイルモジュールは、入力を有し、前記入力は、
ａ．一式の第１のユーザ出版物、
ｂ．一式の第１のユーザ検索用語、
ｃ．一式の助成金または類似資金調達ソース、
ｄ．一式の第１のユーザ検索結果または保存されたクエリ、
ｅ．前記第１のユーザと関連付けられた個人参考文献ライブラリ内に記憶された一式の項目、
ｆ．前記第１のユーザと関連付けられたユーザ−システム相互作用の一式の記憶された履歴、
ｇ．前記第１のユーザの一式の個人または専門文献目録データ要素、および
ｈ．前記第１のユーザと関連付けられた、または前記第１のユーザに関係する他のシステムユーザの一式の個人または専門文献目録データ要素
のうちの少なくとも１つと関連付けられている、項目１に記載のシステム。
（項目２３）
前記第２の出力は、
ａ．ユーザの個人参考文献ライブラリからの１つ以上の推奨される参考文献または引用のリスト、
ｂ．少なくとも１つの出典データベースからの１つ以上の推奨される参考文献または引用のリスト、および
ｃ．他のシステムユーザの個人参考文献ライブラリからの１つ以上の推奨される参考文献または引用のリスト
のうちの１つ以上である、項目１に記載のシステム。
（項目２４）
前記引用推奨を宛先アプリケーションに通信するように適合された通信モジュールをさらに備える、項目１に記載のシステム。
（項目２５）
参考文献、引用、または引用を含む文書を通信するように適合された電子メールモジュールをさらに備える、項目１に記載のシステム。
（項目２６）
少なくとも１つの参考文献ツールと統合し、前記少なくとも１つの参考文献ツールから少なくとも１つの引用に関する引用データを受信するように適合されたツール統合モジュールをさらに備え、前記一式の引用推奨は、前記受信された引用データからの少なくともいくつかのデータを含む、項目１に記載のシステム。
（項目２７）
クラスタ化モジュールをさらに備える、項目１に記載のシステム。
（項目２８）
曖昧性解消モジュールをさらに備える、項目１に記載のシステム。
（項目２９）
前記個人プロファイルモジュールは、入力として、前記第１の出力を受信し、前記第２の出力は、前記第１の出力に部分的に基づき、前記推奨モジュールは、前記第２の出力を受信するように適合されている、項目１に記載のシステム。
（項目３０）
前記テキスト分析モジュールは、テキストセグメントを受信し、前記受信されたテキストセグメントを検索コレクションに対して処理する、項目１に記載のシステム。
（項目３１）
前記検索コレクションは、引用位置連結に基づいている、項目３０に記載のシステム。
（項目３２）
ユーザに、ユーザアカウントと関連付けられた個人プロファイルに関する情報を提示するように適合されたユーザダッシュボードインターフェースをさらに備える、項目１に記載のシステム。
（項目３３）
前記一式の引用推奨データのユーザ評価に関連するユーザ入力から導出される信号を受信するように適合されたユーザフィードバックモジュールをさらに備える、項目１に記載のシステム。
（項目３４）
引用推奨を提供するための、コンピュータによって実施される方法であって、前記方法は、
ａ．テキストセグメントを受信および分析し、前記テキストセグメントに少なくとも部分的に基づいて、第１の出力を生成することであって、前記第１の出力は、前記テキストセグメント内に含まれる用語に関連する引用を識別するためのデータ表現である、ことと、
ｂ．個人プロファイルと関連付けられたデータを分析し、第２の出力を生成することであって、前記第２の出力は、前記個人プロファイルに関連する引用を識別するためのデータ表現である、ことと、
ｃ．前記第１の出力および前記第２の出力を受信および分析し、前記第１および第２の出力に少なくとも部分的に基づいて、一式の引用推奨データを生成することと
を含む、方法。
（項目３５）
少なくとも１つの引用を含む前記一式の引用推奨データを含む第３の出力を生成することと、前記一式の引用推奨データを処理し、前記少なくとも１つの引用の表現を表示のために提示するために、前記第３の出力をクライアントデバイスに通信することとをさらに含む、項目３４に記載の方法。
（項目３６）
前記クライアントデバイスから信号を受信することであって、前記信号は、前記一式の引用推奨データと関連付けられた選択を含む、ことをさらに含む、項目３５に記載の方法。
（項目３７）
前記クライアントデバイスから信号を受信することであって、前記信号は、前記第１の出力に到達したとき、テキスト分析モジュールによって処理されるテキストの選択を含む、ことをさらに含む、項目３５に記載の方法。
（項目３８）
ユーザ相互作用を監視し、使用関連データを記憶し、使用関連データを特定のユーザと関連付けることをさらに含む、項目３５に記載の方法。
（項目３９）
前記クライアントデバイスは、個人プロファイル記録と関連付けられたユーザアカウント下で動作しており、前記方法は、前記ユーザアカウントを認識し、前記個人プロファイル記録内に含まれるデータに少なくとも部分的に基づいて、前記第２の出力を生成することをさらに含む、項目３５に記載の方法。
（項目４０）
テキスト分析モジュール、個人プロファイルモジュール、および推奨モジュールとワードプロセッサアプリケーションを統合するように適合されたワード処理統合モジュールをさらに含む、項目３４に記載の方法。
（項目４１）
ユーザ選択要素を含み、前記一式の引用推奨データと関連付けられたユーザ選択を処理するように適合されたグラフィカルユーザインターフェースを生成することをさらに含む、項目３５に記載の方法。
（項目４２）
受信されたユーザ選択を処理し、前記選択と関連付けられた引用をワードプロセッサによって動作させられる文書中に自動的に挿入することをさらに含む、項目４１に記載の方法。
（項目４３）
ローカルクライアント処理デバイスにおいて提示するために、
ａ．検索引用推奨、
ｂ．検索パラメータ、
ｃ．検索データベースまたはリソース選択またはフィルタ、
ｄ．ユーザ活動、
ｅ．文書またはプロジェクト関連データ、
ｆ．共同研究者活動、
ｇ．助成金または資金調達関連データ、
ｈ．プロジェクトタイムラインまたは管理ワークフロー、
ｉ．データフィルタリング基準、および
ｊ．検索履歴
のうちの１つ以上を含む少なくとも２つの別個のエリアを含む電子ユーザダッシュボードまたはウェブポータルページを生成することをさらに含む、項目３４に記載の方法。
（項目４４）
ワードプロセッサにおいて動作している文書中のテキストセグメントのユーザによる選択、ハイライト、または指示と関連付けられた信号を処理することをさらに含み、前記第１の出力は、前記テキストセグメントに少なくとも部分的に基づいている、項目３４に記載の方法。
（項目４５）
ワードプロセッサ文書と関連付けられた一式のテキストを受信することをさらに含む、項目３４に記載の方法。
（項目４６）
ローカルクライアントデバイスにおいて提示するために、前記一式の引用推奨データを出力し、選択される推奨される引用をワードプロセッサ文書中に挿入するために、少なくとも１つの推奨される引用のユーザ選択を前記一式の引用推奨データから受信することをさらに含む、項目３４に記載の方法。
（項目４７）
一式の少なくとも１つの出典データベースとインターフェース接続することにより、前記一式の引用推奨データを確認することをさらに含む、項目３４に記載の方法。
（項目４８）
前記一式の少なくとも１つの出典データベースは、
ａ．一式のフルテキストファイル、
ｂ．一式のメタデータ記録、
ｃ．データベース要素を接続する一式のリンク、および
ｄ．外部ソースデータベースへの一式のリンク
のうちの１つ以上を含む、項目４７に記載の方法。
（項目４９）
前記一式の少なくとも１つの出典データベースは、Ｗｅｂ  ｏｆ  Ｓｃｉｅｎｃｅ、Ｗｅｂ  ｏｆ  Ｋｎｏｗｌｅｄｇｅ、Ｎａｔｉｏｎａｌ  Ｌｉｂｒａｒｙ  ｏｆ  Ｍｅｄｉｃｉｎｅ  ＰｕｂＭｅｄ、ＣｒｏｓｓＲｅｆ、ＢＩＯＳＩＳ、Ｄｉａｌｏｇ、ｌｉｂｒａｒｙ  ＯＰＡＣＳ、Ｍｅｄｌｉｎｅ、ＰｒｏＱｕｅｓｔ、Ｏｖｉｄ、Ｅｂｓｃｏ、ＷｉｌｓｏｎＷｅｂ、およびジャーナル構成外部データベースといったデータベースのうちの少なくとも１つを含む、項目４７に記載の方法。
（項目５０）
ローカルクライアントデバイスにおいて提示するためのユーザインターフェースを生成し、１つ以上の出典データベースのユーザ選択を表す入力を受信することをさらに含む、項目４７に記載の方法。
（項目５１）
前記一式の引用推奨データは、
ａ．１つ以上の推奨される参考文献または参考引用のリスト、
ｂ．１つ以上の推奨される検索結果または保存されたクエリのリスト、および
ｃ．前記ユーザから入力を要求するシステム応答
のうちの少なくとも１つを含む、項目３４に記載の方法。
（項目５２）
個人プロファイル記録と第１のユーザを関連付けることであって、前記個人プロファイルは、
ａ．一式の第１のユーザ出版物、
ｂ．一式の第１のユーザ検索用語、
ｃ．一式の助成金または類似資金調達ソース、
ｄ．一式の第１のユーザ検索結果または保存されたクエリ、
ｅ．前記第１のユーザと関連付けられた個人参考文献ライブラリ内に記憶された一式の項目、
ｆ．前記第１のユーザと関連付けられたユーザ−システム相互作用の一式の記憶された履歴、
ｇ．前記第１のユーザの一式の個人または専門文献目録データ要素、および
ｈ．前記第１のユーザと関連付けられた、または前記第１のユーザに関係する他のシステムユーザの一式の個人または専門文献目録データ要素
のうちの少なくとも１つを含む、ことをさらに含む、項目３４に記載の方法。
（項目５３）
前記第２の出力は、
ａユーザの個人参考文献ライブラリからの１つ以上の推奨される参考文献または引用のリスト、
ｂ．少なくとも１つの出典データベースからの１つ以上の推奨される参考文献または引用のリスト、および
ｃ．他のシステムユーザの個人参考文献ライブラリからの１つ以上の推奨される参考文献または引用のリスト
のうちの１つ以上である、項目３４に記載の方法。
（項目５４）
前記一式の引用推奨データを宛先アプリケーションに通信することをさらに含む、項目３４に記載の方法。
（項目５５）
受信されたテキストセグメントからのデータを処理し、前記テキストセグメント内に含まれる用語の曖昧性を解消することをさらに含む、項目３４に記載の方法。
（項目５６）
前記文書中のテキスト内引用と引用の文献目録中の対応する引用との間のハイパーリンクを提供することをさらに含む、項目３４に記載の方法。
（項目５７）
テキストセグメントを自動的に処理することにより、前記第１の出力を生成することであって、前記テキストセグメントは、ワードプロセッサ文書中に置かれたマーカーに基づいて決定される、ことをさらに含む、項目３４に記載の方法。
（項目５８）
前記テキストセグメントは、前記マーカーの前に現れるテキストおよび前記マーカーの後に現れるテキストを含む、項目５７に記載の方法。